(57)【要約】  【課題】生産性の高い凧を提供する。  【解決手段】凧１は、シート部材１０と、このシート部材１０の形状を保持する骨部材１２とで構成される。シート部材１０は、表面の組織と裏面の組織とで構成されており、これらの組織が一部で分離可能なように袋織りになっている。この袋織りによって、筒部１１０及び１１２がシート部材１０と一体に形成される。これらの筒部１１０及び１１２には、骨部材１２が挿入されて接着固定される。シート部材１０と筒部１１０及び１１２とが同じ織工程で製造されるため、生産性が高い。【選択図】図１
2008154935.tif 000002
【特許請求の範囲】
【請求項１】
シート部材と、
前記シート部材に設けられ、袋織りによって形成された筒部と、
前記シート部材の形状を保持するために用いられる骨部材と
を有し、
前記骨部材が前記筒部に挿入されてなる
凧。
【請求項２】
前記シート部材と前記筒部とは、１つの織物として形成されている
請求項１に記載の凧。
【請求項３】
前記シート部材は、二重織りによって形成されており、
このシート部材の一方の面には、他方の面と異なる模様が織り込まれている
請求項２に記載の凧。
【請求項４】
前記筒部の内径は、前記骨部材の直径とほぼ一致する
請求項１〜３のいずれかに記載の凧。
【請求項５】
シート部材と、
前記シート部材に設けられ、袋織りによって形成された筒部と、
前記シート部材の形状を保持するために用いられる骨部材と
を有し、
前記骨部材が前記筒部に挿入されてなる
旗。
【請求項６】
シート部材と、
前記シート部材に設けられ、袋織りによって形成された筒部と、
前記シート部材の形状を保持するために用いられる骨部材と
を有し、
前記骨部材が前記筒部に挿入されてなる
傘。
【請求項７】
袋織りによって、織物の一部に筒部を形成し、
形成された筒部に、骨部材を挿入する
製造方法。
【発明の詳細な説明】
【技術分野】
【０００１】
本発明は、凧、旗及び傘に関する。
【背景技術】
【０００２】
例えば、特許文献１には、凧紙に補強不織布を貼り付けた凧が開示されている。
【０００３】
【特許文献１】特開２００３−１８１１５６号公報
【発明の開示】
【発明が解決しようとする課題】
【０００４】
本発明は、上述した背景からなされたものであり、凧などの生産性を向上させることを目的とする。
【課題を解決するための手段】
【０００５】
上記目的を達成するために、本発明に係る凧は、シート部材と、前記シート部材に設けられ、袋織りによって形成された筒部と、前記シート部材の形状を保持するために用いられる骨部材とを有し、前記骨部材が前記筒部に挿入されてなる。
【０００６】
好適には、前記シート部材と前記筒部とは、１つの織物として形成されている。
好適には、前記シート部材は、二重織りによって形成されており、このシート部材の一方の面には、他方の面と異なる模様が織り込まれている。
好適には、前記筒部の内径は、前記骨部材の直径とほぼ一致する。
【０００７】
また、本発明にかかる旗は、シート部材と、前記シート部材に設けられ、袋織りによって形成された筒部と、前記シート部材の形状を保持するために用いられる骨部材とを有し、前記骨部材が前記筒部に挿入されてなる。
【０００８】
また、本発明にかかる傘は、シート部材と、前記シート部材に設けられ、袋織りによって形成された筒部と、前記シート部材の形状を保持するために用いられる骨部材とを有し、前記骨部材が前記筒部に挿入されてなる。
【０００９】
また、本発明にかかる製造方法は、袋織りによって、織物の一部に筒部を形成し、形成された筒部に、骨部材を挿入する。
【発明の効果】
【００１０】
本発明の凧、旗又は傘によれば、生産性が向上する。
【発明を実施するための最良の形態】
【００１１】
図１は、本発明にかかる凧１を例示する図である。なお、凧１は、実際に空にあげうる大凧であってもよいし、神棚や卓上などに飾るだけの小さな模型の凧であってもよい。
図１（Ａ）及び（Ｂ）に例示するように、凧１は、シート部材１０と、骨部材１２とで構成されている。シート部材１０は、薄いシート状の部材であり、可撓性を有する。
図１（Ａ）に例示するように、シート部材１０の表面には、模様１００が形成されている。本例のシート部材１０は織物で構成されており、第１の模様１００ａ及び第２の模様１００ｂは、特定の色で染められた色糸で表現されている。糸の材質は特に限定されず、凧の用途に応じて選択できる。
また、図１（Ｂ）に例示するように、シート部材１０の裏面には、シート部材１０の一辺とほぼ同一の長さの第１の筒部１１０と、これよりも短い第２の筒部１１２とが形成されている。本例では、第２の筒部１１２が複数存在する。第１の筒部１１０及び第２の筒部１１２は、袋織りによって、シート部材１０と一体に形成されている。これらの筒部１１０及び１１２は、図１（Ｂ）に例示するように、骨部材１２ａ〜１２ｅをシート部材１０上に固定するために設けられている。具体的には、筒部１１０には骨部材１２ｃが挿入され、筒部１１２ａ及び筒部１１２ｈには骨部材１２ａが挿入され、筒部１１２ｃ及び筒部１１２ｆには骨部材１２ｂが挿入され、筒部１１２ｄ及び筒部１１２ｅには骨部材１２ｄが挿入され、筒部１１２ｂ及び筒部１１２ｇには骨部材１２ｅが挿入されている。また、骨部材１２ｅの上端部は筒部１１０に挿入されている。なお、図１（Ｂ）では、説明の便宜上、筒部１１０及び１１２とシート部材１０の他の領域とを異なる模様（図のハッチング領域と白塗潰し領域）で表現しているが、実際には、一体となっており、シート部材１０の裏面はデザイン上、単一の色又は模様で統一されうる。
骨部材１２は、シート部材１０の形状を保持できる程度の弾性力を有する弾性部材であり、例えば竹ひごである。筒部１１０又は１１２の内側壁面又は骨部材１２の表面に接着剤を塗布し、骨部材１２を筒部１１０又は１１２に挿入して、骨部材１２と筒部１１０又は１１２とを接着固定することが望ましい。
【００１２】
図２（Ａ）は、第１の筒部１１０（図１）の模式図であり、図２（Ｂ）は、第１の筒部１１０の断面の模式図である。
図２（Ａ）に例示するように、第１の筒部１１０は、シート部材１０の裏面と一体に形成されている。筒部１１０の開口は、骨部材１２の直径ｎ（最大径）の２倍を超えないことが望ましく、直径ｎとほぼ同じであることがより望ましい。
また、シート部材１０の断面α及びα’は、図２（Ｂ）に例示するように、シート部材の第１の組織１０ａ（表面の織組織）と、シート部材の第２の組織１０ｂ（裏面の織組織）とで構成されている。すなわち、本例のシート部材１０は二重織りで形成されている。これにより、シート部材１０の表裏に異なる模様を表現することができる。また、シート部材１０の筒部１１０に相当する領域は、第１の組織１０ａと、第２の組織１０ｂとが結合しないように、袋織りになっている。袋織りとなっている領域で第１の組織１０ａと第２の組織１０ｂとを引き離すと、筒部１１０の開口１１１が形成される。この開口１１１に骨部材１２ｃが挿入される。この第１の組織１０ａと第２の組織１０ｂとが結合しない領域（非結合領域）の長さは、筒部１１０の開口の内径ｍ（最大内径）となり、骨部材１２ｃの直径ｎとほぼ同一である。また、非結合領域の周囲にある結合領域（第１の組織１０ａと第２の組織１０ｂとが結合している領域）は、骨部材１２の挿入に伴って第１の組織１０ａと第２の組織１０ｂとが強く引き離されるので、他の結合領域よりも強く結合していることが望ましい。
【００１３】
図３（Ａ）は、第２の筒部１１２（図１）の模式図であり、図２（Ｂ）は、第２の筒部１１２の断面の模式図である。図２の第１の筒部１１０と、図３の第２の筒部１１２とを比較してわかるように、第２の筒部１１２は、第１の筒部１１０とほぼ同様に形成されている。ただ、本例の第２の筒部１１２ｄは、開口１１３ｄの方向の長さが短いため、経糸又は緯糸のみで形成されている。すなわち、第１の筒部１１０（図２）の裏面組織は経糸と緯糸とを織りあわせて形成されているが、第２の筒部１１２ｄ（図３）の裏面組織は紙面の上下方向の糸のみで形成されている。
【００１４】
以上説明したように、本実施形態の凧１は、袋織りによって筒部１１０及び１１２を形成し、形成された筒部１１０及び１１２に骨部材１２を挿入することによって製造される。このように、筒部１１０及び１１２で骨部材１２を固定するため、骨部材を固定するための別途の縫製作業が不要になり、凧１の生産性が向上する。また、本例ではシート部材１０と筒部１１０及び１１２とが同一の織工程で製造されるため、さらに生産性が向上する。また、シート部材１０を二重織りの織物とすることにより、表面及び裏面のそれぞれに模様を形成できる。
【００１５】
［変形例］
次に、上記実施形態の変形例を説明する。上記実施形態では、袋織りを凧１の製造に応用したが、旗、傘、翼又は帆などの製造に応用してもよい。
図４（Ａ）は、袋織りを利用した旗２を例示し、図４（Ｂ）は、袋織りを利用した傘３の一部を例示する図である。
旗２は、図４（Ａ）に例示するように、シート部材２０及び２３と、骨部材２２ａ及び２２ｂとで構成される。シート部材２０の周縁の２辺には、袋織りで形成された筒部２１０ａ及び筒部２２０ｂが形成されている。これらの筒部２１０は、図２に例示した筒部１１０とほぼ同様に形成されている。ただ、骨部材２２ａ及び骨部材２２ｂの太さに応じて、筒部２１０ａ及び筒部２１０ｂの内径が第１の筒部１１０と異なりうる。また、本例のシート部材２０は、中央に開口を有し、この開口を塞ぐように、第２のシート部材２３が貼り合わせてある。第２のシート部材２３は、例えば、第１のシート部材２０と異なる材質で構成される。このように、シート部材全体が織物である必要はなく、少なくとも筒部２１０の近傍が織物であればよい。
このように、袋織りによってシート部材２０と筒部２１０とを一体に形成し、形成された筒部２１０に、旗２の形状を保持するさお（骨部材２２）を挿入することにより、旗２を容易に製造できる。
【００１６】
また、図４（Ｂ）に例示するように、傘３の親骨３２（骨部材）は、傘布３０（シート部材）に形成された筒部３１０に挿入されて、傘布３０に固定されてもよい。本例の筒部３１０も、図２に例示した筒部１１０とほぼ同様に形成されている。なお、筒部３１０は、図３に例示した筒部１１２とほぼ同様に形成されてもよい。
このように、袋織りにより傘布３０と筒部３１０とを一体に形成し、形成された筒部３１０に、傘布３０の形状を保持する親骨３２を挿入することにより、傘３を容易に製造できる。
【図面の簡単な説明】
【００１７】
【図１】本発明の実施形態に係る凧１を例示する図である。
【図２】第１の筒部１１０を模式的に説明する図である。
【図３】第２の筒部１１２を模式的に説明する図である。
【図４】変形例として旗２及び傘３を説明する図である。
【符号の説明】
【００１８】
１    傘
１０    シート部材
１１０，１１２    筒部
１２    骨部材
【図１】
2008154935.tif 000003
【図２】
2008154935.tif 000004
【図３】
2008154935.tif 000005
【図４】
2008154935.tif 000006